(57)【特許請求の範囲】
【請求項１】
開閉可能な着火空間を有するハウジングと、
前記ハウジングに取り付けられ前記着火空間に開口したバーナと、
前記バーナに燃料を供給する燃料供給部と、
前記ハウジングに取り付けられ前記バーナに供給された燃料に点火する点火手段と、
前記ハウジングに取り付けられ前記バーナと前記燃料供給部との間の燃料供給経路を開閉する器具栓と、
を備えることを特徴とする線香着火器。
【請求項２】
ハウジング及び燃料供給部が、屋外に設置される支柱に支持されたことを特徴とする請求項１に記載の線香着火器。
【請求項３】
バーナの開口部に金網が設けられたことを特徴とする請求項１に記載の線香着火器。
【請求項４】
点火手段が、点火プラグ及びこの点火プラグに供給する放電電圧を加圧により発生する圧電ユニットからなり、器具栓を開放するレバーによって前記圧電ユニットの加圧が行われることを特徴とする請求項１に記載の線香着火器。
【請求項５】
燃料供給部は、ガスボンベが着脱可能に装填されるものであることを特徴とする請求項１に記載の線香着火器。
【請求項６】
ハウジングが、支柱の軸心を中心として回転可能に設けられたことを特徴とする請求項２に記載の線香着火器。
【発明の詳細な説明】
【０００１】
【発明の属する技術分野】
本発明は、線香に着火するための線香着火器に関し、特に、屋外で使用可能なものに関する。
【０００２】
【従来の技術】
墓参の際には、仏式の場合、墓前で線香による焼香を行う。従来、線香に着火する手段としては、マッチや喫煙用のガスライターなどが用いられているが、線香は比較的燃えにくいものであり、短時間で着火するのが困難である。特に、結束された多数の線香に、束の状態のままで着火する場合は、着火に一層時間がかかるため、蝋燭を使ったりすることもあるが、墓地のような屋外では、わずかな風でも蝋燭の火炎が揺らいだり消えたりするため、何度も蝋燭に点火し直さなければならなかったりして、なかなか着火できないことが多い。
【０００３】
また、このような場合は、まず紙くず等に点火して、火力の強い火炎を発生させ、この火炎を利用して線香に着火する方法もあるが、この場合、風向によっては、線香を火にかざしている手に思わぬ火傷をするおそれもあり、あるいは付近の枯草などに燃えうつるおそれもあり、危険であった。
【０００４】
【発明が解決しようとする課題】
本発明は、上述のような問題に鑑みてなされたもので、その技術的課題は、墓前等で線香に容易に着火することができる線香着火器を提供することにある。
【０００５】
【課題を解決するための手段】
上述した技術的課題を有効に解決するための手段として、請求項１の発明に係る線香着火器は、開閉可能な着火空間を有するハウジングと、前記着火空間に開口したバーナと、前記バーナに燃料を供給する燃料供給部と、前記バーナに供給された燃料に点火する点火手段と、前記バーナと前記燃料供給部との間の燃料供給経路を開閉する器具栓と、を備えるものである。
【０００６】
請求項２の発明に係る線香着火器は、請求項１に記載の構成において、ハウジング及び燃料供給部が、屋外に設置される支柱に支持されたものである。
【０００７】
請求項３の発明に係る線香着火器は、請求項１に記載の構成において、バーナの開口部に金網が設けられたものである。
【０００８】
請求項４の発明に係る線香着火器は、請求項１に記載の構成において、点火手段が、点火プラグ及びこの点火プラグに供給する放電電圧を加圧により発生する圧電ユニットからなり、器具栓を開放するレバーによって前記圧電ユニットの加圧が行われるものである。
【０００９】
請求項５の発明に係る線香着火器は、請求項１に記載の構成において、燃料供給部は、ガスボンベが着脱可能に装填されるものである。
【００１０】
請求項６の発明に係る線香着火器は、請求項２に記載の構成において、ハウジングが、支柱の軸心を中心として回転可能に設けられる。
【００１１】
【発明の実施の形態】
図１は、本発明に係る線香着火器の好ましい実施の形態を示すもので、（Ａ）は正面図、（Ｂ）は側面図、図２は、図1の線香着火器における内部機構を示す説明図、図３は、使用状況を示す説明図である。
【００１２】
まず図１において、参照符号１は墓地等の所定箇所に立設される支柱、２はこの支柱１の上端に設けられたハウジング、３はハウジング２の下側に位置して支柱１に固定されたボンベ装填ケースであり、これら支柱１、ハウジング２及びボンベ装填ケース３は、錆びにくい金属、例えばステンレス鋼などで製作されている。
【００１３】
ハウジング２は、円筒状の上部ハウジング２１及び下部ハウジング２２からなるもので、下部ハウジング２２の底部に設けられた継手部２３を介して、支柱１の上端に、その鉛直な軸心の周りに180度の範囲で水平回転可能な状態に取り付けられている。また、上部ハウジング２１の上端高さは、地上130〜140cm程度となっている。
【００１４】
図３に示されるように、上部ハウジング２１の内部は、着火空間２Ｓとなっており、上部ハウジング２１の正面には窓部２１ａが開設されている。また、上部ハウジング２１の側面上部には、着火空間２Ｓからの高温の燃焼ガスを放出するために所要数の小径の放熱孔２１ｂが開設されている。
【００１５】
上部ハウジング２１の窓部２１ａは、数十本束ねられた線香（以下、線香束という）２００を入れるのに十分な開口面積を有し、その一方の側縁には、窓部２１ａを密閉可能な円弧面状のカバー２４が、ばね蝶番２５を介して片開き式に水平揺動可能に取り付けられている。このカバー２４は、上部ハウジング２１と同材質の金属板からなり、前記ばね蝶番２５に内蔵されたトーションばねによって、常時閉塞方向へ付勢されていると共に、開放状態を維持するためのロック機構（不図示）を備えている。なお、２４ａはカバー２４の自由端部に取り付けられた把手である。
【００１６】
上部ハウジング２１の底部中央には、着火空間２Ｓへ向けてバーナ４が開口しており、図２及び図３に示されるように、このバーナ４の開口部を覆うように、ステンレス鋼等の金属線材を編成した金網４１が着脱可能に設けられている。上部ハウジング２１は、バーナ４からの火炎が天板２１ｂに届かない程度の十分な容積及び高さを有し、天板２１ｂの内面（下面）には、石綿などの耐火材料からなる断熱材（不図示）が貼られている。
【００１７】
一方、下部ハウジング２２内には、図２に示されるような器具栓５が設置されており、バーナ４の下部は、この器具栓５の流出ポートに接続されている。器具栓５は、下部ハウジング２２の側面に開設された、上下に延びる長孔２２ａを通じて外部へ突出したレバー５１の操作によって回転される回転軸５２を介して、開閉されるものである。詳しくは、レバー５１はトーションばね５３あるいは他のばね手段によって、仰方向へ付勢されており、この付勢力に抗してレバー５１を俯方向へ押し下げることによって器具栓５は開弁状態となり、ばね手段によって仰方向へ復帰することによって、器具栓５は閉弁状態となる。なお、下部ハウジング２２の長孔２２ａには、外部からの雨水や塵埃等の侵入を防止するための一対のゴム膜２２ｂが設けられ、レバー５１に密接している。
【００１８】
ボンベ装填ケース３は、片開き式の水平揺動可能な蓋３１で開閉されるものであって、内部に、市販のカートリッジ式ガスボンベ１００が、その吐出ノズル１０１を上に向けて起立した状態に装填されるようになっており、図２に示されるように、ボンベ装填ケース３の上部には、装填されたカートリッジ式ガスボンベ１００の吐出ノズル１０１に接続される接続部材３２が設けられている。また、蓋３１の可動端は、錠付きの金具３３によって、閉塞状態にロックすることができるようになっている。
【００１９】
カートリッジ式ガスボンベ１００は、液化された可燃ガス、例えば液化プロパンガスなどが充填されたもので、ボンベ装填ケース３に装填されてノズル１０１が接続部材３２に押圧された状態で接続されることによって、内蔵されたバルブが開弁し、ガス放出可能となっている。
【００２０】
ボンベ装填ケース３の接続部材３２からは、ガス供給チューブ６が延びており、このガス供給チューブ６は、図１に示される支柱１の内部を通って、ハウジング２における下部ハウジング２２に達し、この下部ハウジング２２内に配置された器具栓５の流入ポートに接続されている。
【００２１】
図２における参照符号７はバーナ４へ供給される可燃ガスに点火するための点火装置で、下部ハウジング２２内に、レバー５１における回転軸５２寄りの部分の下側に位置して配置された圧電ユニット７１と、上部ハウジング２１における着火空間２Ｓの下部に、バーナ４の開口部に近接して配置された点火プラグ７２と、両者間を接続する導線７３とからなる。
【００２２】
圧電ユニット７１には、圧電素子（不図示）が内蔵されている。圧電素子は、よく知られているように、たとえばチタン酸バリウム（BaTiO3）やチタン酸ジルコン酸鉛Pb(Zi,Ti)O3等、多結晶の強誘電体からなるものであって、強制的に歪を与えられることによって電圧を発生するといった、ピエゾ効果を有する。すなわち、圧電ユニット７１は、レバー５１を俯状態に押し下げることによって、このレバー５１に設けた押圧部５１ａで圧電ユニット７１の加圧子７１ａが押圧されると、この加圧子７１ａを介して内部の圧電素子が加圧され、電圧を発生するものである。
【００２３】
また、点火プラグ７２は、圧電ユニット７１で発生した電圧が、導線７３を介して印加されることによって、バーナ４との間で放電を行う放電端子７２ａを有し、この放電により発生する火花で、バーナ４に供給される可燃ガスに点火するものである。
【００２４】
以上の構成を備える本形態の線香着火器は、墓地内の所定箇所にほぼ鉛直に立設されるもので、ボンベ装填ケース３へのカートリッジ式ガスボンベ１００の着脱は、例えば墓地の管理者が行う。そしてこの線香着火器は、支柱１、ハウジング２及びボンベ装填ケース３等、外殻を構成する部分がステンレス鋼などで製作されているので、雨ざらしになっていても、容易に腐食することがない。
【００２５】
墓参の際に、この線香着火器を使用して線香に着火する場合は、図３に示されるように、ハウジング２における上部ハウジング２１のカバー２４を開いて、窓部２１ａから、線香束２００の先端を着火空間２Ｓ内におけるバーナ４の上方にかざし、レバー５１を押し下げる。なお、このとき、ボンベ装填ケース３には、カートリッジ式ガスボンベ１００が装填されているものとする。
【００２６】
上述のようにレバー５１が押し下げられると、これによって回転軸５２が回転して器具栓５が開放され、ボンベ装填ケース３内のカートリッジ式ガスボンベ１００からの可燃ガスが、接続部材３２、ガス供給チューブ６及び器具栓５を介してバーナ４に供給されると共に、レバー５１によって点火装置７における圧電ユニット７１の圧電素子が加圧されるので、点火プラグ７２に放電電圧が印加されて放電端子７２ａが火花を発生するので、バーナ４に供給された可燃ガスが点火され、燃焼する。このため、バーナ４から着火空間２Ｓ内に立ち上がる火力の強い火炎Ｆによって、線香束２００の先端が短時間に着火する。
【００２７】
このとき、上部ハウジング２１が風防手段として機能し、しかもこの上部ハウジング２１（ハウジング２）は、継手部２３によって水平回転可能であるため、風が比較的強い場合であっても、窓部２１ａが風下側の方角を向くようにハウジング２を回転させることによって、点火の際のガス流や、点火後の火炎Ｆを風から保護することができ、何度も点火しなおす必要がない。しかも、上部ハウジング２１の上端高さは、地上130〜140cm程度であるため、成人の胸ぐらいの高さで着火作業を行うことができ、使い勝手が良い。
【００２８】
バーナ４からの火炎Ｆは青白いので、良く晴れた日中は見えにくいことがあるが、バーナ４の開口部を覆うように設置した金網４１が、火炎Ｆによって赤熱するので、点火状態を容易に視認することができ、金網４１の赤熱部の上に線香束２００の先端をかざすことによって、この線香束２００の先端に確実に火炎Ｆを当てることができる。また、この金網４１は、線香束２００から落下した灰がバーナ４の開口部へ入りにくくする機能も奏する。
【００２９】
線香束２００への着火が終わったら、押し下げたレバー５１から手を離すと、トーションばね５３等の付勢力によって、仰方向へ自動的に押し上げられて、器具栓５が閉弁し、カートリッジ式ガスボンベ１００からバーナ４への可燃ガスの供給経路が遮断され、消火される。また、上部ハウジング２１のカバー２４は、開放状態に維持するロック機構を解除すれば、ばね蝶番２５に内蔵されたトーションばねによって、自動的に窓部２１ａを閉塞する。
【００３０】
上部ハウジング２１の天板２１ｂは、バーナ４からの火炎Ｆが届かない程度の高さを有すると共に、天板２１ｂの内面に、石綿などの耐火材料からなる断熱材が貼られているため、天板２１ｂが過熱することはなく、高温の燃焼ガスは放熱孔２１ｂから排出される。しかも、線香束２００への着火は短時間で終わり、バーナ４の火炎Ｆはすぐに消火されるので、上部ハウジング２１の側面やカバー２４が過熱することもなく、安全である。
【００３１】
【発明の効果】
請求項１の発明に係る線香着火器によれば、着火空間に開口したバーナに、燃料供給部から供給される燃料に点火で点火することによって、線香への着火に必要な火炎を発生させ、この火炎がハウジングによって風から保護されるので、墓地等のような屋外でも、風によって火炎が消えてしまうのを防止して、線香への着火を容易に行うことができる。
【００３２】
請求項２の発明に係る線香着火器によれば、ハウジング及び燃料供給部が、屋外に設置される支柱に支持されており、墓地等に常設しておくことができる。
【００３３】
請求項４の発明に係る線香着火器によれば、バーナの開口部に設けられた金網が、バーナの火炎によって赤熱するので、火炎が見えにくくても、金網の赤熱部の上に線香をかざすことによって、確実に着火することができる。
【００３４】
請求項５の発明に係る線香着火器によれば、レバーの操作によって、バルブによる燃料供給経路の開放と点火手段の点火動作が行われるため、操作を安全かつ容易に行うことができる。
【００３５】
請求項６の発明に係る線香着火器によれば、燃料供給部にガスボンベが着脱可能に装填されるため、燃料を常備しておく必要がなく、安全である。
【００３６】
請求項７の発明に係る線香着火器によれば、風向によって、ハウジングの向きを任意に変えることができるので、バーナの火炎をハウジングによって風から確実に保護することができる。
【図面の簡単な説明】
【図１】本発明に係る線香着火器の好ましい実施の形態を示すもので、（Ａ）は正面図、（Ｂ）は側面図である。
【図２】本発明に係る線香着火器の内部機構を示す説明図である。
【図３】本発明に係る線香着火器の使用状況を示す説明図である。
【符号の説明】
１  支柱
２  ハウジング
２Ｓ  着火空間
２１  上部ハウジング
２２  下部ハウジング
３  ボンベ装填ケース（燃料供給部）
４  バーナ
４１  金網
５  器具栓
６  ガス供給チューブ（燃料供給経路）
７  点火装置
７１  圧電ユニット
７２  点火プラグ
１００  カートリッジ式ガスボンベ（燃料供給部）
２００  線香束
【図１】
0003706599.tif 000002
【図２】
0003706599.tif 000003
【図３】
0003706599.tif 000004